(57)【要約】【課題】長手方向に連通する中空部を有するデッキ材の長手方向端部に取り付けられ、中空部の開口を塞ぐための小口キャップについて、新規な技術を提案する。【解決手段】デッキ材３の端面に取り付けられるデッキ材用小口キャップ（小口キャップ５）であって、前記デッキ材３の長手方向に形成される中空部３５の開口を塞ぐ蓋部５１を有し、前記蓋部５１の裏面５１ｂには、前記中空部３５と、外部空間を連通させるための水抜溝（水抜縦溝６１）が形成される、デッキ材用小口キャップ（小口キャップ５）とする。【選択図】図２
2014125745.tif 000002
【特許請求の範囲】
【請求項１】
デッキ材の端面に取り付けられるデッキ材用小口キャップであって、
前記デッキ材の長手方向に形成される中空部の開口を塞ぐ蓋部を有し、
前記蓋部の裏面には、
前記中空部と、外部空間を連通させるための水抜溝が形成される、
デッキ材用小口キャップ。
【請求項２】
前記水抜溝は縦方向の縦溝であって、
前記縦溝の開口部は、下方に向けて開口される、
ことを特徴とする、請求項１に記載のデッキ材用小口キャップ。
【請求項３】
前記蓋部の裏面には、
前記中空部に嵌め込まれる少なくとも一つの嵌合部が形成され、
前記嵌合部には、
前記中空部の底面を構成する内壁面に対向する下面部が形成されており、
前記下面部には、前記縦溝と、前記中空部内の空間とを連通させるための連通部と、が形成される、
ことを特徴とする、請求項１又は請求項２に記載のデッキ材用小口キャップ。
【発明の詳細な説明】
【技術分野】
【０００１】
本発明は、長手方向に連通する中空部を有するデッキ材の長手方向端部に取り付けられ、中空部の開口を塞ぐための小口キャップに関する。
【背景技術】
【０００２】
従来、例えば特許文献１に開示されるように、長手方向に連通する中空部を有するデッキ材や濡れ縁（本明細書においては、両者を含めてデッキ材という。）の長手方向端部の小口には、中空部への雨水や埃の浸入を防止するためや、デッキ材の端部の装飾（化粧）を行うために、小口キャップが取り付けられている。
【０００３】
この種の小口キャップは、樹脂製の平坦な薄板状の蓋部の裏面に嵌合部を形成してなり、その嵌合部をデッキ材の中空部に押入し、蓋部をデッキ材の端面に当接させて装着される構成としている。
【０００４】
そして、特許文献１では、デッキ材の中空部に浸入した雨水の排水性、中空部の通気性を高めて、デッキ材の品質を維持するために、蓋部の厚み方向に貫通する水抜き孔を設ける構成を開示している。
【先行技術文献】
【特許文献】
【０００５】
【特許文献１】特開２００９−９１７１７号公報
【発明の概要】
【発明が解決しようとする課題】
【０００６】
特許文献１の構成によれば、蓋部に水抜き孔を形成することで、中空部に浸入した雨水の排水性が向上し、通気性も確保されることになり、湿気が長期間こもることを防ぐことができる。
【０００７】
仮に、湿気がこもることになると、特に、樹脂と木粉の混合材料から成形される人工木からなる木調デッキ材の場合には、木粉が吸湿することで変色（色じみ）や劣化が進行することが懸念されるため、湿気の対策は重要なものとなる。
【０００８】
また、仮に、湿気や水溜まりが中空部の内部に存在すると、埃が入って水苔が発生することや、埃が堆積してしまうといったことも懸念されるため、このような観点からも湿気の対策は重要なものとなる。
【０００９】
しかしながら、特許文献１に開示される構成では、蓋部の表面に水抜き孔が形成されるため、この水抜き孔が外観に現れてしまうことになり、美観上において改善の余地があった。
【００１０】
また、蓋部の表面に水抜き孔が形成されるため、埃が水抜き孔を通じてデッキ材の中空部に入りやすい状況を形成してしまうことになる。
【００１１】
さらに、水抜き孔を伝って中空部内部の水が抜かれる場合、蓋部の表面を水が伝うことになるため、この水が伝った箇所のみに水垢が縦のラインをなすように付着してしまうことも懸念される。
【００１２】
そこで、本発明は以上の構成に鑑み、長手方向に連通する中空部を有するデッキ材の長手方向端部に取り付けられ、中空部の開口を塞ぐための小口キャップについて、新規な技術を提案するものである。
【課題を解決するための手段】
【００１３】
本発明の解決しようとする課題は以上の如くであり、次にこの課題を解決するための手段を説明する。
【００１４】
即ち、請求項１に記載のごとく、
デッキ材の端面に取り付けられるデッキ材用小口キャップであって、
デッキ材の長手方向に形成される中空部の開口を塞ぐ蓋部を有し、蓋部の裏面には、中空部と、外部空間を連通させるための水抜溝が形成される、デッキ材用小口キャップとする。
【００１５】
また、請求項２に記載のごとく、
水抜溝は縦方向の縦溝であって、縦溝の開口部は、下方に向けて開口される、こととする。
【００１６】
また、請求項３に記載のごとく、
蓋部の裏面には、中空部に嵌め込まれる少なくとも一つの嵌合部が形成され、嵌合部には、中空部の底面を構成する内壁面に対向する下面部が形成されており、下面部には、縦溝と、中空部内の空間とを連通させるための連通部と、が形成される、こととする。
【発明の効果】
【００１７】
本発明の効果として、以下に示すような効果を奏する。
【００１８】
即ち、請求項１に記載の発明においては、水抜溝を介して中空部内に浸入した雨水や湿気を水抜溝を通じて外部へ排出することができる。
【００１９】
また、請求項２に記載の発明においては、縦溝の開口部が蓋部の表面に現れないことから、開口部の存在によって美観を損なうことがない。つまり、小口キャップの蓋部の表面は、穴のないフラットな化粧表面を構成することができ、意匠性に優れた構成を実現することができることになる。また、表面を水滴が伝うことによって、水垢が縦のラインをなすように付着して汚れが生じるといった不具合が生じることがない。
【００２０】
また、請求項３に記載の発明においては、嵌合部を中空部に嵌め込むことで、デッキ材に対するデッキ材用小口キャップの位置決めを容易に行うことができる。また、嵌合部に対しデッキ材に対する固定用のビスなどを留め付けることも可能となる。また、連通部を介して中空部内に浸入した雨水や湿気を水抜溝を通じて外部へ排出することができる。
【図面の簡単な説明】
【００２１】
【図１】本発明を適用するデッキの構成例について示す図。
【図２】（Ａ）は本発明の一実施例に係るデッキ材用小口キャップの表面側から見た斜視図。（Ｂ）は本発明の一実施例に係るデッキ材用小口キャップの裏面側から見た斜視図。
【図３】同じく小口キャップのデッキ材に対する取付を説明する斜視図。
【図４】小口キャップをデッキ材に取り付ける際の位置関係を説明する図。
【図５】（Ａ）は小口キャップをデッキ材に取り付けた状態を説明する斜視図。（Ｂ）は小口キャップをデッキ材に取り付けた状態を説明する側面断面図。
【発明を実施するための形態】
【００２２】
以下、本発明の実施形態を図面に基づいて説明する。
図１は、本発明を適用するデッキ１０の構成例について示す図である。デッキ１０は、テラス窓１１の室外側に設置されており、基礎石上に多数の束柱１を起立固定し、束柱１上にデッキ材３を支持するための大引２が架設固定される。
【００２３】
大引２はテラス窓１１の間口方向に伸びるように配置され、この大引２に直交するようにデッキ材３、３が並列されて大引２に載置固定され、デッキ材３、３の表面により、連続した床面３０が構成される。
【００２４】
各デッキ材３の長手方向端面には、小口キャップ５（デッキ材用小口キャップ５）が取付けられ、この小口キャップ５によってデッキ材３の端部が装飾（化粧）される。
【００２５】
以上の構成において、束柱１及び大引２は、中空のアルミ押出成形材により構成することができる。また、デッキ材３は、合成樹脂と木粉を混合した押出成形材にて構成され、その外層を木目調とする人工木とすることで、木調デッキ材として構成することができる。
【００２６】
また、小口キャップ５は、例えば、樹脂成形品により構成することができ、その色調をデッキ材３と同一、又は、近いものにすることで、全体として統一化のある意匠を構成できるようになっている。
【００２７】
なお、以上はデッキ１０を構成する場合についての実施形態であるが、大引２を傾斜させることにより、デッキ材３の床面３０を傾斜させてスロープを構成する場合についても、本発明の構成を適用することができる。
【００２８】
次に、小口キャップの詳細な実施形態について説明する。
図２（Ａ）は本発明の一実施例に係るデッキ材用小口キャップの表面側から見た斜視図、図２（Ｂ）は本発明の一実施例に係るデッキ材用小口キャップの表面側から見た斜視図、図３は同小口キャップのデッキ材に対する取付を説明する斜視図、図４は小口キャップをデッキ材に取り付ける際の位置関係を説明する小口キャップの裏面図である。
【００２９】
図２（Ａ）（Ｂ）に示すように、本実施例に係る小口キャップ５（デッキ材用小口キャップ）は、合成樹脂成型品であり、横長方形の薄板状の蓋部５１の裏面５１ｂには、この裏面５１ｂに直角な方向に突出する嵌合部５２，５３を設けてなっている。嵌合部５２，５３は蓋部５１の横幅方向Ｘの中央部を挟んで対称的な形状をなしている。
【００３０】
蓋部５１の裏面５１ｂにおいて、蓋部５１の横幅方向Ｘにおける中央部には、蓋部５１の厚み方向に窪ませて形成される横幅ｘ１を有する水抜縦溝６１が形成されている。この水抜縦溝６１は、例えば、蓋部５１の厚み寸法の２／３程度の深さの溝を、蓋部５１の縦方向Ｚに形成することで構成することができる。
【００３１】
この水抜縦溝６１を間に挟むようにして嵌合部５２，５３が形成されており、蓋部５１の裏面５１ｂにおいて、嵌合部５２，５３が形成される箇所においても同様に、横幅ｘ２，ｘ３を有する水抜縦溝６２，６３がそれぞれ形成されている。
【００３２】
嵌合部５２は、上面部５２ａと、縦面部５２ｂ，５２ｃと、下面部５２ｄとを有し、蓋部５１の裏面５１ｂから突出する角筒状に構成されている。上面部５２ａと、縦面部５２ｂと、下面部５２ｄには、それぞれ、デッキ材の中空部の内壁面に接触させるための突条５２ｐが奥行き方向Ｙに形成されている。
【００３３】
下面部５２ｄは、蓋部５１の裏面５１ｂから離間して形成されており、下面部５２ｄと水抜縦溝６２の間に隙間を形成することによって、当該隙間が連通部５２ｅとして機能するようになっている。
【００３４】
そして、この連通部５２ｅを介して、嵌合部５２の筒内空間５２ｆと水抜縦溝６２が連通し、筒内空間５２ｆ内に送り込まれた水や湿気が、連通部５２ｅを介して水抜縦溝６２へと伝い、水抜縦溝６２から外部へと排出されるようになっている。なお、下面部５２ｄを省略して連通部５２ｅを構成せずに、嵌合部５２の内部に水抜縦溝６１の部位と同様の構成が形成されるものとしてもよい。
【００３５】
嵌合部５２の下面部５２ｄにおいて、奥行き方向Ｙにおける中途部には、デッキ材に対してビス留めするためのビス孔５２ｇが設けられている。
【００３６】
なお、嵌合部５３については、嵌合部５２と対称的な同一の形状をなすものであり、対応箇所については、適宜符号を付すことにより説明を省略するものとする。
【００３７】
以上のように構成される小口キャップ５は、図３及び図４に示すごとく、デッキ材３の端部（小口）に取付けられる。デッキ材３は、上板３１と底板３２と両側板３３と仕切り壁３４とを有し、仕切り壁により仕切られた３つの中空部３５を有する構成としている。
【００３８】
このようなデッキ材３に対し、小口キャップ５の裏面５１の嵌合部５２，５３が、それぞれ、３つあるうちの両端にある中空部３５，３５に対して嵌め込まれる。
【００３９】
この嵌め込みの際には、突条５２ｐが中空部３５の内壁面３５ａに接触することで、嵌合部５２が挿入される際に生じる摩擦抵抗を少なくすることができ、嵌め込みを容易に行うことができる。
【００４０】
そして、デッキ材３に嵌め込まれた小口キャップ５に対し、デッキ材３の下方からビス７，７を打ち込んで、当該ビス７，７をビス孔５２ｇ，５３ｇに対して差し込むことにより、小口キャップ５がデッキ材３に対して固定される。なお、ビス孔５２ｇ，５３ｇ及びビス留めを省略し、嵌着によって小口キャップ５がデッキ材３に対して固定される形態としてもよい。例えば、突条５２ｐ，５３ｐの突出を大きく構成することによって、高い抜脱抵抗力を発揮させることで固定する形態などが考えられる。
【００４１】
なお、以上の実施形態では、デッキ材３に３つの中空部３５が構成されるため、そのうち２つの中空部３５に対して嵌合部５２，５３をそれぞれ嵌合させる形態としたが、もう一つの嵌合部を形成して全ての中空部に対して嵌合させることや、或いは、一つの嵌合部のみを形成して一つの中空部に対してのみ嵌合させる形態などとしてもよい。また、デッキ材の中空部の数（例えば、２つ、４つなど）に応じて、適宜、嵌合部の数を設定してもよい。
【００４２】
以上のようにして、図５（Ａ）（Ｂ）に示すごとく、デッキ材３の端部（小口）に小口キャップ５が取付けられた状態とされる。そして、この状態においては、小口キャップ５の表面５１ａによって、デッキ材３の中空部３５が覆い隠され、デッキ材３の端部が装飾（化粧）される。
【００４３】
そして、小口キャップ５の各水抜縦溝６１，６２，６３を通じて、デッキ材３の中空部３５が外部と連通されることになり、中空部３５内に浸入した雨水や湿気は各水抜縦溝６１，６２，６３を通じて外部へ排出することができる。
【００４４】
これにより、中空部に浸入した雨水の排水性が向上し、通気性も確保されることになり、湿気が長期間こもることを防ぐことができる。特に、樹脂と木粉の混合材料から成形される人工木からなる木調デッキ材の場合には、木粉が吸湿することで変色（色じみ）や劣化が進行することが懸念されるため、本発明の実施により有効な湿気対策を図ることができる。
【００４５】
また、図５（Ｂ）に示すごとく、水抜縦溝６１の開口部６１ａは、下方に向けて開口されて表面５１ａに現れないことから、開口部６１ａの存在によって美観を損なうことがない。つまり、小口キャップ５の蓋部５１の表面５１ａは、穴のないフラットな化粧表面を構成することができ、意匠性に優れた構成を実現することができることになる。
【００４６】
また、水抜縦溝６１の開口部６１ａは、下方に向けて開口されることから、外部から中空部３５内への埃が入り難いこととなり、中空部３５内への埃の進入に伴う水苔などの発生や、埃の堆積といった不具合を防止することができる。
【００４７】
さらに、水抜縦溝６１の開口部６１ａは、下方に向けて開口されることから、水滴８はそのまま下方に落下することになり、水滴８が小口キャップ５の蓋部５１の表面５１ａを伝うことがない。
【００４８】
これにより、表面５１ａを水滴８が伝うことによって、水垢が縦のラインをなすように付着して汚れが生じるといった不具合が生じることがない。
【００４９】
また、以上に説明した構成の小口キャップ５は、図１に示すごとく、植栽７０を通過させるための開口部７１を形成した場合において、開口部７１を構成するデッキ材３の端部に装着して用いることができる。
【００５０】
さらに、開口部７２を塞ぐためのデッキ蓋７３を構成する場合において、デッキ蓋７３を構成するデッキ材３の端部に小口キャップ５を装着して用いることができる。
【００５１】
以上のようにして本発明を実施することができる。
即ち、デッキ材３の端面に取り付けられるデッキ材用小口キャップ（小口キャップ５）であって、
デッキ材３の長手方向に形成される中空部３５の開口を塞ぐ蓋部５１を有し、
蓋部５１の裏面５１ｂには、
中空部３５と、外部空間を連通させるための水抜溝（水抜縦溝６１）が形成される、
デッキ材用小口キャップとする。
【００５２】
これにより、水抜溝を介して中空部３５内に浸入した雨水や湿気を水抜溝を通じて外部へ排出することができる。
【００５３】
また、図５（Ｂ）に示すように、水抜溝は縦方向の縦溝（水抜縦溝６１）であって、
縦溝の開口部６１ａは、下方に向けて開口される、
デッキ材用小口キャップとする。
【００５４】
これにより、縦溝の開口部６１ａが蓋部５１の表面５１ａに現れないことから、開口部６１ａの存在によって美観を損なうことがない。つまり、小口キャップ５の蓋部５１の表面５１ａは、穴のないフラットな化粧表面を構成することができ、意匠性に優れた構成を実現することができることになる。また、表面５１ａを水滴８が伝うことによって、水垢が縦のラインをなすように付着して汚れが生じるといった不具合が生じることがない。
【００５５】
なお、以上の実施形態では、上下垂直方向の水抜縦溝６１が形成されることとしたが、斜め方向に構成することとしてもよい。
【００５６】
また、図２（Ａ）（Ｂ）乃至図４に示すように、
蓋部５１の裏面５１ｂには、中空部３５に嵌め込まれる少なくとも一つの嵌合部５２，５３が形成される、こととする。
【００５７】
これにより、嵌合部５２，５３を中空部３５に嵌め込むことで、デッキ材３に対するデッキ材用小口キャップの位置決めを容易に行うことができる。また、嵌合部５２，５３に対しデッキ材３に対する固定用のビスなどを留め付けることも可能となる。
【００５８】
また、図２（Ａ）（Ｂ）乃至図４に示すように、
嵌合部５２，５３には、中空部３５の底面を構成する内壁面３５ａに対向する下面部５２ｄが形成されており、
下面部５２ｄには、縦溝（水抜縦溝６１）と、中空部３５内の空間とを連通させるための連通部５２ｅが形成される、こととする。
【００５９】
これにより、連通部５２ｅを介して中空部３５内に浸入した雨水や湿気を水抜溝を通じて外部へ排出することができる。
【産業上の利用可能性】
【００６０】
本発明は、長手方向に連通する中空部を有するデッキ材の長手方向端部に取り付けられ、中空部の開口を塞ぐための小口キャップとして、広く利用することができる。
【符号の説明】
【００６１】
３    デッキ材
５    小口キャップ
８    水滴
３５    中空部
５１    蓋部
５１ａ    表面
５１ｂ    裏面
５２    嵌合部
５３    嵌合部
６１    水抜縦溝
６１ａ    開口部
【図１】
2014125745.tif 000003
【図２】
2014125745.tif 000004
【図３】
2014125745.tif 000005
【図４】
2014125745.tif 000006
【図５】
2014125745.tif 000007